(57)【要約】【課題】機器内にセットされた複数のＤＶＤ−Ｖｉｄｅｏを選択的に再生可能なＤＶＤ−Ｖｉｄｅｏプレーヤにおいて、ディスクサーチが容易になるディスク検索方法を提供すること。【解決手段】機器内にセットされた各ＤＶＤ−Ｖｉｄｅｏからメニュー画面を読出して、各メニュー画面を記憶部に記憶する。前記記憶部からＤＶＤ−Ｖｉｄｅｏ１枚ずつメニュー画面を読出しディスプレイ上に再生して、メニュー画面から希望のディスクを検索する。【選択図】      図１
2004310816.tif 000002
【特許請求の範囲】
【請求項１】
複数のＤＶＤ−Ｖｉｄｅｏを機器内にセットして、この複数のＤＶＤ−Ｖｉｄｅｏを選択的に再生可能なＤＶＤ−Ｖｉｄｅｏプレーヤにおいて、
機器内にセットされた各ＤＶＤ−Ｖｉｄｅｏからメニュー画面を読出して、各メニュー画面を記憶部に記憶する手段と、
その後、ディスク検索モードになると、前記記憶部から１枚のＤＶＤ−Ｖｉｄｅｏのメニュー画面を読出してディスプレイ上に再生する手段と、
前記ディスク検索モードで次に送る状態になると、前記記憶部に記憶された次の１枚のＤＶＤ−Ｖｉｄｅｏのメニュー画面を読出して前記ディスプレイ上に再生する手段と、
前記ディスク検索モードで確定状態になると、そのとき前記ディスプレイ上に再生されているメニュー画面に対応する前記ＤＶＤ−Ｖｉｄｅｏの再生を開始させる手段と
を具備することを特徴とするＤＶＤ−Ｖｉｄｅｏプレーヤのディスク検索方法。
【請求項２】
前記記憶部に記憶されるメニュー画面は音声付のメニュー画面であり、そのメニュー画面を前記記憶部から読出してディスプレイ上に再生するとき、同時に音声が前記記憶部から読出されてスピーカで再生されることを特徴とする請求項１に記載のＤＶＤ−Ｖｉｄｅｏプレーヤのディスク検索方法。
【請求項３】
ＤＶＤ−Ｖｉｄｅｏからメニュー画面を読出して前記記憶部に記憶する際、同時にＤＶＤ−Ｖｉｄｅｏから読み出された前記メニュー画面を再生するための情報を前記記憶部に同時に記憶することを特徴とする請求項１または２に記載のＤＶＤ−Ｖｉｄｅｏプレーヤのディスク検索方法。
【請求項４】
複数のＤＶＤ−Ｖｉｄｅｏを機器内にセットして、この複数のＤＶＤ−Ｖｉｄｅｏを選択的に再生可能なＤＶＤ−Ｖｉｄｅｏプレーヤにおいて、
機器内にセットされた各ＤＶＤ−Ｖｉｄｅｏを再生し、その各ＤＶＤ−Ｖｉｄｅｏ上の一場面を静止画としてキャプチャして記憶部に記憶する手段と、
その後、ディスク検索モードになると、前記記憶部から１枚のＤＶＤ−Ｖｉｄｅｏの一場面を読出してディスプレイ上に再生する手段と、
前記ディスク検索モードで次に送る状態になると、前記記憶部に記憶された次の１枚のＤＶＤ−Ｖｉｄｅｏの一場面を読出して前記ディスプレイ上に再生する手段と、
前記ディスク検索モードで確定状態になると、そのとき前記ディスプレイ上に再生されている一場面に対応する前記ＤＶＤ−Ｖｉｄｅｏの再生を開始させる手段と
を具備することを特徴とするＤＶＤ−Ｖｉｄｅｏプレーヤのディスク検索方法。
【請求項５】
前記記憶部に記憶されるＤＶＤ−Ｖｉｄｅｏ上の一場面は、ユーザ操作によりＤＶＤ−Ｖｉｄｅｏ上から選択できることを特徴とする請求項４に記載のＤＶＤ−Ｖｉｄｅｏプレーヤのディスク検索方法。
【発明の詳細な説明】
【０００１】
【発明の属する技術分野】
本発明は、ＤＶＤ−Ｖｉｄｅｏプレーヤのディスク検索方法に関する。
【０００２】
【従来の技術】
【特許文献１】
特開平８−２２１９５９号公報
【０００３】
カローセルチェンジャタイプ（回転トレイ式）のＤＶＤ−ＶｉｄｅｏプレーヤやメガチェンジャタイプのＤＶＤ−Ｖｉｄｅｏプレーヤにおいては、複数のディスク（デジタルストレージメディア）が機器内にセットされる可能性がある。特にメガチェンジャタイプのＤＶＤ−Ｖｉｄｅｏプレーヤでは４００枚以上のディスクを機器内に格納しうるものも存在する。
【０００４】
これらのプレーヤにおいては、機器内のディスク（またはディスク内に記憶されているタイトルやチャプタ）を検索するサーチ（検索）機能が重要であり、実際に「キャラクタサーチ機能」（ユーザがディスク名の最初の１文字を入力すると、予め入力したディスク名のうちユーザが選択した１文字を先頭の文字に持つディスクをサーチする機能）や、「メディアタイプによるサーチ機能」（ＤＶＤ、Ｖｉｄｅｏ−ＣＤ、ＣＤ等のメディアタイプにより、多数のディスクから所望のディスクを絞り込む機能）、または「フォルダサーチ機能」（ユーザがフォルダ名を指定することで、ユーザが予め作成したフォルダに登録されているディスクのみをサーチできる機能）などの便利な機能を備えている機器もある。
【０００５】
【発明が解決しようとする課題】
しかし、上記のような検索機能を実行するためには、予めユーザがメガチェンジャなどのチェンジャ機器内に格納されている各ディスクに対してディスク名（「メディアタイプサーチ」を行うためにはさらにディスクのメディアタイプ）を設定する必要があり、４００枚以上のディスクを格納可能なメガチェンジャ等においてはかなりの時間と手間を必要とする。さらに、ディスク内に記憶されている各タイトル（またはチャプタ）までも検索したいという場合には、ディスク名の入力に加えて各タイトル（またはチャプタ）のタイトル名（またはチャプタ名）までも入力する必要が発生し、膨大な労力を必要とする。
【０００６】
なお、検索情報を自動的に入力する方法として、特許文献１にはＴＯＣ（Ｔａｂｌｅ  Ｏｆ  Ｃｏｎｔｅｎｔ）情報を利用する方法が記載されているが、この方法は、ＴＯＣが存在しないＤＶＤ−Ｖｉｄｅｏには適用できない。
【０００７】
本発明は上記の点に鑑みなされたもので、ＤＶＤ−Ｖｉｄｅｏプレーヤにおいて容易にディスクサーチを可能にするＤＶＤ−Ｖｉｄｅｏプレーヤのディスク検索方法を提供することを目的とする。
【０００８】
【課題を解決するための手段】
本発明のＤＶＤ−Ｖｉｄｅｏプレーヤのディスク検索方法は、複数のＤＶＤ−Ｖｉｄｅｏを機器内にセットして、この複数のＤＶＤ−Ｖｉｄｅｏを選択的に再生可能なＤＶＤ−Ｖｉｄｅｏプレーヤにおいて、機器内にセットされた各ＤＶＤ−Ｖｉｄｅｏからメニュー画面を読出して、各メニュー画面を記憶部に記憶する手段と、その後、ディスク検索モードになると、前記記憶部から１枚のＤＶＤ−Ｖｉｄｅｏのメニュー画面を読出してディスプレイ上に再生する手段と、前記ディスク検索モードで次に送る状態になると、前記記憶部に記憶された次の１枚のＤＶＤ−Ｖｉｄｅｏのメニュー画面を読出して前記ディスプレイ上に再生する手段と、前記ディスク検索モードで確定状態になると、そのとき前記ディスプレイ上に再生されているメニュー画面に対応する前記ＤＶＤ−Ｖｉｄｅｏの再生を開始させる手段とを具備することを特徴とする。
【０００９】
前記記憶部に記憶されるメニュー画面は音声付のメニュー画面であり、そのメニュー画面を前記記憶部から読出してディスプレイ上に再生するとき、同時に音声が前記記憶部から読出されてスピーカで再生されることが望ましい。また、ＤＶＤ−Ｖｉｄｅｏからメニュー画面を読出して前記記憶部に記憶する際、同時にＤＶＤ−Ｖｉｄｅｏから読み出された前記メニュー画面を再生するための情報を前記記憶部に同時に記憶することが望ましい。
【００１０】
他の形態として、本発明によるＤＶＤ−Ｖｉｄｅｏプレーヤのディスク検索方法は、複数のＤＶＤ−Ｖｉｄｅｏを機器内にセットして、この複数のＤＶＤ−Ｖｉｄｅｏを選択的に再生可能なＤＶＤ−Ｖｉｄｅｏプレーヤにおいて、機器内にセットされた各ＤＶＤ−Ｖｉｄｅｏを再生し、その各ＤＶＤ−Ｖｉｄｅｏ上の一場面を静止画としてキャプチャして記憶部に記憶する手段と、その後、ディスク検索モードになると、前記記憶部から１枚のＤＶＤ−Ｖｉｄｅｏの一場面を読出してディスプレイ上に再生する手段と、前記ディスク検索モードで次に送る状態になると、前記記憶部に記憶された次の１枚のＤＶＤ−Ｖｉｄｅｏの一場面を読出して前記ディスプレイ上に再生する手段と、前記ディスク検索モードで確定状態になると、そのとき前記ディスプレイ上に再生されている一場面に対応する前記ＤＶＤ−Ｖｉｄｅｏの再生を開始させる手段とを具備することを特徴とする。
【００１１】
前記記憶部に記憶されるＤＶＤ−Ｖｉｄｅｏ上の一場面は、ユーザ操作によりＤＶＤ−Ｖｉｄｅｏ上から選択できることが望ましい。
【００１２】
【発明の実施の形態】
次に添付図面を参照して本発明によるＤＶＤ−Ｖｉｄｅｏプレーヤのディスク検索方法の実施の形態を詳細に説明する。図１は、本発明の一実施の形態が適用されたＤＶＤ−Ｖｉｄｅｏプレーヤを示すブロック図である。このＤＶＤ−Ｖｉｄｅｏプレーヤは、システムコントローラ１１、ディスクチェンジャ部１２、ディスク読取り部１３、メニュー画面情報抽出部１４、記憶領域（記憶部）１５を有する。システムコントローラ１１は、このＤＶＤ−Ｖｉｄｅｏプレーヤの全体を制御する。ディスクチェンジャ部１２は、カローセルチェンジャタイプあるいはメガチェンジャタイプのディスクチェンジャ部であって、複数のＤＶＤ−Ｖｉｄｅｏを収容し、再生されるディスクを選択する。ディスク読取り部１３は、ディスクチェンジャ部１２で選択されたディスクからデータを光学的に読取り、電気的な読取りデータを出力する。メニュー画面情報抽出部１４は、システムコントローラ１１の制御の下、ディスク読取り部１３出力からメニュー画面情報およびその情報の再生のための情報を抽出する。記憶領域１５は、メニュー画面情報抽出部１４から出力されるメニュー画面情報およびその情報の再生のための情報を記憶する。
【００１３】
図１のＤＶＤ−Ｖｉｄｅｏプレーヤは、さらに、デマルチプレクサ１６、システムクロック発生器１７、操作部１８、ビデオバッファ１９、ビデオデコーダ２０、ディスプレイ２１、オーディオバッファ２２、オーディオデコーダ２３、およびスピーカ２４を有する。デマルチプレクサ１６は、ディスク読取り部１３出力の多重化されたデータを映像、音声、サブピクチャ（付加情報）等の個々のストリームに分離する。システムクロック発生器１７は、システムクロックを発生させ、このシステムクロックをシステムコントローラ１１に供給する。システムクロック発生器１７には、デマルチプレクサ１６からＳＣＲ（Ｓｙｓｔｅｍ  Ｃｌｏｃｋ  Ｒｅｆｅｒｅｎｃｅ：データの再生時間に関する情報）が供給される。また、システムコントローラ１１には、デマルチプレクサ１６からＰＴＳ（Ｐｒｅｓｅｎｔａｔｉｏｎ  Ｔｉｍｅ  Ｓｔａｍｐ：再生時間に関する情報）とＤＴＳ（Ｄｅｃｏｄｅ  Ｔｉｍｅ  Ｓｔａｍｐ：デコード時間に関する情報）が供給される。操作部１８は、複数のキーを有し、各種の指令、設定、情報をシステムクロックコントローラ１１に入力できる。ビデオバッファ１９は、デマルチプレクサ１６出力の映像データを一時記憶する。ビデオデコーダ２０は、ビデオバッファ１９出力の映像データおよび記憶領域１５出力のメニュー画面情報（映像データ）をデコードする。ディスプレイ２１は、ビデオデコーダ２０出力の映像信号を再生する。オーディオバッファ２２は、デマルチプレクサ１６出力の音声データを一時記憶する。オーディオデコーダ２３は、オーディオバッファ２２出力の音声データをデコードする。スピーカ２４は、オーディオデコーダ２３出力の音声信号を再生する
【００１４】
上記のようなＤＶＤ−Ｖｉｄｅｏプレーヤは、各ＤＶＤ−Ｖｉｄｅｏ上のメニュー画面をディスク検索に利用する。その方法を以下詳述する。
【００１５】
ＤＶＤ−Ｖｉｄｅｏが最初に機器にセットされたと確認した時点で、システムコントローラ１１の制御の下、ディスクチェンジャ部１２、ディスク読取り部１３およびメニュー画面情報抽出部１４の動作により、そのＤＶＤ−Ｖｉｄｅｏ上の「ビデオマネージャメニュー」（最上位のメニューであり、トップメニューまたはタイトルメニューとも呼ばれる）のオブジェクト（ＶＭＧＭ＿ＶＯＢＳ：Ｖｉｄｅｏ  Ｏｂｊｅｃｔ  Ｓｅｔ  ｆｏｒ  Ｖｉｄｅｏ  Ｍａｎａｇｅｒ  Ｍｅｎｕ。ビデオデータ、オーディオデータ、およびサブピクチャデータで構成される、再生されるデータの実体。ＤＶＤ−Ｖｉｄｅｏメニュー画面。）のファイルである「ＶＩＤＥＯ＿ＴＳ．ＶＯＢ」ファイルを記憶領域１５に格納する。同時にそのオブジェクトを再生する際に必要な情報が含まれる「ビデオマネジャ情報」（ＶＭＧＩ：Ｖｉｄｅｏ  ＭａｎａＧｅｒ  ｉｎｆｏｒｍａｔｉｏｎ）のファイルである「ＶＩＤＥＯ＿ＴＳ．ＩＦＯ」ファイルも記憶領域１５に格納する。格納する際は、図２に示すように、ＤＶＤ−Ｖｉｄｅｏ毎にＶＩＤＥＯ＿ＴＳフォルダＦ１，Ｆ２…を作成し、そのフォルダＦ１，Ｆ２…内に該当の「ＶＩＤＥＯ＿ＴＳ．ＶＯＢ」と「ＶＩＤＥＯ＿ＴＳ．ＩＦＯ」ファイルを格納する形の「ディレクトリ構造」で格納する。
【００１６】
ＤＶＤ−Ｖｉｄｅｏは図３に示すようなディレクトリ構造（図３中、□部分には０１〜９９の数字が挿入され、○部分には１〜９の数字が挿入される）を持っており、ルートディレクトリ下のＶＩＤＥＯ＿ＴＳサブディレクトリの下に上記「ＶＩＤＥＯ＿ＴＳ．ＶＯＢ」と「ＶＩＤＥＯ＿ＴＳ．ＩＦＯ」の２ファイルは存在している。これらのファイルはＤＶＤ−Ｖｉｄｅｏ規格に従った所定のリードシーケンスにより読出しが可能である。例えばＤＶＤ−Ｖｉｄｅｏ上の「ＶＩＤＥＯ＿ＴＳ．ＩＦＯ」をリードするシーケンスは以下の通りである。
【００１７】
▲１▼ボリューム認識シーケンス  ボリューム認識エリアは、論理セクタ１６で始まる。構造識別子フィールドが“ＮＳＲ０２”を持つＮＳＲ記述子を探し出す。
▲２▼アンカポイント  メイン・ボリューム記述子シーケンスの位置を記載する論理セクタ（Ｌｏｇｉｃ  Ｓｅｃｔｏｒ  Ｎｕｍｂｅｒ）２５６に置かれる第１アンカポイントをリードする。第１アンカポイントがリードできないならばラストＬＳＮに置かれる第２アンカポイントをリードする。
▲３▼ボリューム記述子シーケンス  メイン・ボリューム記述子シーケンスをリードするが、もし本シーケンスがリードできないならば、予約済みのボリューム記述子シーケンスをリードする。シーケンスの論理ボリューム記述子中に記載されたファイル集合記述子の位置を探す。シーケンスの区画記述子中に記載された区画スターティング位置を探す。
▲４▼ファイル集合記述子  ファイル集合記述子をリードし、そしてルートディレクトリに記述されるファイルエントリの位置と長さを探す。
▲５▼ルートディレクトリ・ファイルエントリ  ルートディレクトリ・ファイルエントリをリードし、そしてルートディレクトリの属性と位置を探す。
▲６▼ルートディレクトリ  ファイル識別記述子からなるルートディレクトリをリードする。ファイル識別子フィールドがＶＩＤＥＯ＿ＴＳで、ファイル特性フィールドが、ファイルがディレクトリであることを記載する、ファイル識別記述子を探す。ファイル識別記述子をリードし、そしてＶＩＤＥＯ＿ＴＳディレクトリに記述されるファイルエントリの位置を探す。
▲７▼ＶＩＤＥＯ＿ＴＳのファイルエントリ  ＶＯＤＥＯ＿ＴＳのファイルエントリをリードし、そしてＶＩＤＥＯ＿ＴＳディレクトリの位置と長さを探す。
▲８▼ＶＩＤＥＯ＿ＴＳディレクトリ  ファイル識別記述子からなるＶＩＤＥＯ＿ＴＳディレクトリをリードする。ファイル識別子フィールドがＶＯＤＥＯ＿ＴＳ．ＩＦＯであり、そしてファイル特性フィールドが、ファイルがディレクトリで無いことを記載する、ファイル識別記述子を探す。ファイル識別記述子をリードし、そしてＶＩＤＥＯ＿ＴＳ．ＩＦＯファイルに記述されるファイルエントリの位置を探す。
▲９▼ＶＩＤＥＯ＿ＴＳ．ＩＦＯのファイルエントリ  ＶＩＤＥＯ＿ＴＳ．ＩＦＯファイルのファイルエントリをリードし、ＶＩＤＥＯ＿ＴＳ．ＩＦＯファイルの位置を探す。
【００１８】
上記の方法により１枚のＤＶＤ−Ｖｉｄｅｏのメニュー画面（およびその再生のための情報ファイル）が記憶領域１５に格納される。
【００１９】
同様にして、機器内の全ＤＶＤ−Ｖｉｄｅｏの「ＶＩＤＥＯ＿ＴＳ．ＶＯＢ」と「ＶＩＤＥＯ＿ＴＳ．ＩＦＯ」ファイルを、ＤＶＤ−Ｖｉｄｅｏ毎に設けられたＶＩＤＥＯ＿ＴＳフォルダ内に格納する。以上で全てのＤＶＤ−Ｖｉｄｅｏのメニュー画面の抽出および格納の処理が終了する。
【００２０】
その後、ユーザが操作部１８のディスク検索キーを押下するなどして「ディスク検索モード」に入った場合は、機器は記憶領域１５に格納されている１つのオブジェクト（１枚のＤＶＤ−Ｖｉｄｅｏのメニュー画面）を、ＤＶＤ−Ｖｉｄｅｏ規格に従った所定の読出しシーケンスに従って読出し、再生する。具体的には、記憶領域１５に格納されている「ＶＩＤＥＯ＿ＴＳ．ＩＦＯ」ファイル内のビデオマネージャメニューＰＧＣ（ＰｒｏＧｒａｍ  Ｃｈａｉｎ：リアルタイムデータの再生単位であるセルの再生順序を指定する情報データ）にアクセスし、そこで指定される再生順序に従ってセルの再生を行う（ＰＧＣの構造およびＰＧＣとセル、ＰＴＴ（Ｐｒｏｇｒａｍ  ＴｉＴｌｅ）、ＰＧ（ＰｒｏＧｒａｍ）の関係は図４に示す。図４中、Ｃ＿ＩＤＮ（Ｃｅｌｌ  ＩＤ  Ｎｕｍｂｅｒ）は各セルが個別に持つ番号、ＣＮ（Ｃｅｌｌ  Ｎｕｍｂｅｒ）はＣ＿ＩＤＮとは無関係にＰＧＣＩ内でセルに付与された番号である）。これによりディスプレイ２１上に１枚のＤＶＤ−Ｖｉｄｅｏのメニュー画面が再生される。ユーザが操作部１８の「次に送る」等のキーを押下するなどして、次のメニュー画面を見る操作を行った場合には、機器は次のオブジェクト（次の１枚のＤＶＤ−Ｖｉｄｅｏのメニュー画面）の再生を同様の方法で行う。
【００２１】
以上の方法により記憶領域１５に格納した各オブジェクト（各ＤＶＤ−Ｖｉｄｅｏのメニュー画面）の読出しおよび表示が順次可能となる。そして、あるＤＶＤ−Ｖｉｄｅｏのメニュー画面がディスプレイ２１に表示されている状態において、ユーザが操作部１８の「確定」等のキーを押下するなどして確定操作を行うと、機器は、そのときディスプレイ２１に表示されているメニュー画面に対応する１枚のＤＶＤ−Ｖｉｄｅｏを選択してコンテンツの再生動作に入る。
【００２２】
なお、以上は映像を主体に説明したが、記憶領域１５に格納される「ＶＩＤＥＯ＿ＴＳ．ＶＯＢ」ファイルにはオーディオデータも含まれるから、ディスク検索時、このオーディオデータも記憶領域１５から読出してオーディオデコーダ２３でデコードし、スピーカ２４で再生するようにすれば、音声付のメニュー画面を見ながらディスク検索が可能となる。
【００２３】
このように上記のＤＶＤ−Ｖｉｄｅｏプレーヤによれば、ディスク検索のための情報としてＤＶＤ−Ｖｉｄｅｏのメニュー画面を用いるようにし、その情報は自動で記憶されるようにした。したがって、ディスク検索のための情報が自動で得られるので、ディスク検索が非常に容易になる。また、ＤＶＤ−Ｖｉｄｅｏのマネージャメニュー（トップメニュー、タイトルメニュー）には、そのＤＶＤ−Ｖｉｄｅｏに収められているコンテンツのタイトル（またはチャプタ）等が、ユーザに視覚的に見やすい形で記録されていることが多いので、メニュー画面をそのままディスク検索に利用することで、そのディスクに収められているコンテンツの内容（タイトルまたはチャプタ）が分かり、ディスク名のみがテキストで表示されるものより格段にディスク検索が行い易くなる。さらに、音声付でメニュー画面を表示させれば、音声からもディスクの内容を知ることができるので、よりディスク検索が容易となる。
【００２４】
上記の一実施形態は、ＤＶＤ−Ｖｉｄｅｏのメニュー画面を全て記憶領域に格納する方法で説明を行ったが、記憶領域の格納容量を節約する必要がある場合などは、メニュー画面を全て取込むのではなく、ユーザが希望するＤＶＤ−Ｖｉｄｅｏの一場面を静止画としてキャプチャーして記憶領域に格納し、ディスク検索に用いてもよい。
【００２５】
図５は、上述した、ユーザが希望するＤＶＤ−Ｖｉｄｅｏの一場面を静止画として取込んでディスク検索に用いる本発明の他の実施形態を実現するＤＶＤ−Ｖｉｄｅｏプレーヤを示すブロック図である。このＤＶＤ−Ｖｉｄｅｏプレーヤは、図１のＤＶＤ−Ｖｉｄｅｏプレーヤと比較すると、メニュー画面情報抽出部１２および記憶領域１５が省略される一方、静止画キャプチャ用記憶場所２５およびディスク検索用データ格納場所（記憶部）２６が追加される。
【００２６】
このような図５のＤＶＤ−Ｖｉｄｅｏプレーヤを基に本発明の他の実施形態を具体的に説明する。デマルチプレクサ１６に入力されるデータ量は、ＤＶＤ−Ｖｉｄｅｏでは、１０．０８Ｍｂｐｓと定められている。ビデオバッファ１９の容量は、例えばＭＰ／ＭＬ（メインプロファイル・メインレベル）では、２３７．５６８Ｂｙｔｅと規定されている。ＤＶＤ−Ｖｉｄｅｏではこのビデオバッファ１９がオーバフローすることもアンダフローすることもないようにデマルチプレクサ１６でデマルチプレクスされたデータがビデオバッファ１９に送られる。ビデオバッファ１９からは図６で示すように、ＤＴＳ（Ｄｅｃｏｄｅ  Ｔｉｍｅ  Ｓｔａｍｐ：デコード時間に関する情報）の時刻に１フレーム分のデータが抜き取られてビデオデコーダ２０に送られる。その際、もしユーザにより操作部１８のキーが押下されるなどして、静止画キャプチャモードになっている場合には、ビデオデコーダ２０への出力と共に、本プレーヤで用意した静止画キャプチャ用記憶場所２５にも１フレーム分のデータを出力する。その後、ユーザにより操作部１８の確定キーが押されるなどして、キャプチャしたい場所が選択された場合には、静止画キャプチャ用記憶場所２５へのデータ出力を止め、キャプチャするデータを確定する。そして、その確定されたデータをディスク検索用データ格納場所２６にディスク検索用データとして格納する。このようにして１枚のＤＶＤ−Ｖｉｄｅｏの、ユーザが希望する一場面が静止画としてキャプチャされてデスク検索用データ格納場所２６に格納され、以後同様にして機器内の全ＤＶＤ−Ｖｉｄｅｏの、ユーザが希望する一場面が静止画としてキャプチャされてディスク検索用データ格納場所２６に格納される。
【００２７】
ディスク検索を行う場合には、ディスク検索用データ格納場所２６に格納されたデータをビデオデコーダ２０に出力し、さらにビデオデコーダ２０からディスプレイ２１に信号を送って、ディスク検索用データ格納場所２６に格納された１枚のＤＶＤ−Ｖｉｄｅｏの一場面の静止画をディスプレイ２１に表示させる。さらに、ユーザが操作部１８の「次に送る」等のキーを押下すると、ディスク検索用データ格納場所２６から次のデータをビデオデコーダ２０に出力し、さらにビデオデコーダ２０からディスプレイ２１に次の信号を送って、ディスク検索用データ格納場所２６に格納された次の１枚のＤＶＤ−Ｖｉｄｅｏの一場面の静止画をディスプレイ２１に表示させる。そして、ある一場面の静止画がディスプレイ２１に表示されている状態において、ユーザが操作部１８の「確定」等のキーを押下するなどして確定操作を行うと、機器は、そのときディスプレイ２１に表示されている一場面に対応する１枚のＤＶＤ−Ｖｉｄｅｏを選択してコンテンツの再生動作に入る。
【００２８】
このような他の実施形態によれば、キャプチャしたい一場面を確定するためにキー操作が必要となるが、メニュー画面を用いた上記一実施形態と同様に、ディスク検索用の情報が一場面により自動的に入力されるため、しかも一場面によりユーザに視覚的に見やすい形で検索画面が提供されるため、上記一実施形態と同様にディスク検索が容易になる。さらに、ユーザの好む一場面を選択することにより、一場面とディスクの種類の関係を覚え続けることが容易なため、ディスク検索がより容易となる。
【００２９】
なお、メニュー画面を用いた一実施形態において、メニュー画面を記憶領域に格納する際、記憶領域の記憶容量に制限があり、容量をオーバする際には、格納を行わないように制限をかけることも可能である。
【００３０】
【発明の効果】
以上詳細に説明したように本発明によれば、ＤＶＤ−Ｖｉｄｅｏプレーヤにおいてディスクサーチが容易になる。
【図面の簡単な説明】
【図１】本発明の一実施の形態が適用されたＤＶＤ−Ｖｉｄｅｏプレーヤを示すブロック図。
【図２】ディスク検索用データの格納方法を示す図。
【図３】ＤＶＤ−Ｖｉｄｅｏのディレクトリ構造を示す図。
【図４】ＰＧＣの構造およびＰＧＣとセル、ＰＴＴ、ＰＧの関係を示す図。
【図５】本発明の他の実施の形態を実現するＤＶＤ−Ｖｉｄｅｏプレーヤを示すブロック図。
【図６】ビデオバッファの状態推移を示す波形図。
【符号の説明】
１１  システムコントローラ
１２  ディスクチェンジャ部
１３  ディスク読取り部
１４  メニュー画面情報抽出部
１５  記憶領域
１８  操作部
２１  ディスプレイ
２５  静止画キャプチャ用記憶場所
２６  ディスク検索用データ格納場所
【図１】
2004310816.tif 000003
【図２】
2004310816.tif 000004
【図３】
2004310816.tif 000005
【図４】
2004310816.tif 000006
【図５】
2004310816.tif 000007
【図６】
2004310816.tif 000008